(57)【特許請求の範囲】
【請求項１】
各種チケットを発行・販売する自動券売機において、前記チケットの販売時には投入金額および釣り銭等の情報を出力し、前記自動券売機の保守作業時には、保守内容および保守作業に伴う調整結果等の情報を出力する情報出力制御手段と、前記情報出力制御手段から出力される情報を表示する表示手段と、前記チケットの販売時にはチケット購入者に対して、また、前記保守点検時にはその作業者に対して前記表示手段の表示面の向きが変えられるように、前記表示手段を支持する支持手段と、を具備し、
前記表示手段は、その表示面が鉛直方向に沿って設けられ、該表示手段の水平方向の一方の端部において、該表示手段の上部および下部に、同一垂直軸線上に形成された２つの突起部を有し、前記支持手段は、前記２つの突起部を回転軸として該２つの突起部を回動自在に支持することを特徴とする自動券売機。
【請求項２】
前記突起部の回転位置を検出する検出手段を有し、前記情報出力制御手段は、前記検出手段が検出した回転位置に基づいて、前記表示手段の表示面が、前記購入者に対して向けられていることを検知した場合に、投入金額および釣り銭等の情報を出力し、前記作業者に対して向けられていることを検知した場合に、前記保守内容および保守作業に伴う調整結果等の情報を出力することを特徴とする請求項１に記載の自動券売機。
【請求項３】
前記検出手段が検出した回転位置に基づいて、前記表示手段の表示面が前記作業者に対して向けられていることを検知した場合は、前記チケットの購入者による購入操作を無効とする操作制御手段を具備することを特徴する請求項２に記載の自動券売機。
【発明の詳細な説明】
【０００１】
【発明の属する技術分野】
この発明は、電車の切符等の各種チケットを発行・販売する自動券売機に関する。
【０００２】
【従来の技術】
従来の自動券売機における正面パネルの一例を図２に示す。
図２は電車等の切符を販売する自動券売機の正面パネルの一例を示す正面図であり、この図において、１０は硬貨が投入される硬貨投入口、１１は紙幣が投入される紙幣投入口、１２は所定の金額で予め購入されたプリペイドカード（以下、単にカードという）が投入されるカード投入口である。
【０００３】
また、１３は複数設けられた購入指示ボタンであり、硬貨投入口１０，紙幣投入口１１，カード投入口１２のいずれかに投入された金額に応じて、これら購入指示ボタンに、購入可能な運賃の切符の全てが表示される。また、購入者は、運賃が表示されている購入指示ボタンのうち、所望する行き先の運賃を表示している購入指示ボタンを押し、これにより、その切符が発行される。１４は切符およびつり銭が放出される切符・つり銭取出口であり、購入者は、ここから購入した切符およびつり銭を取り出す。
【０００４】
１５はこども用の切符を購入する際に押されるこども切符購入用ボタン、１６は購入者が誤った操作を行ったことにより、それまでの操作を取り消す際に押されるとりけしボタン、１７は操作が解らなくなったり、操作不能になった際に、購入者が係員を呼び出すためのよびだしボタンである。１８は購入者が投入した金額，購入した切符の運賃，つり銭の表示や、この自動券売機において、切符の発売が不可能になった時に「発売中止」の文字等を表示する顧客用表示器である。
【０００５】
【発明が解決しようとする課題】
ところで、上述した自動券売機の保守や調整等（以下、まとめて保守作業という）を行う場合、一般に、作業者は背面パネルを開けて自動券売機の背面から作業を行っていた。また、上述したような自動券売機においては、保守内容および保守作業に伴う調整の結果等の情報を表示する保守作業用表示器が、顧客用表示器１８とは別個に筐体内に設けられており、保守作業者は保守作業用表示器に表示された情報を見ながら保守作業等を行っていた。このように、従来の自動券売機においては、顧客用表示器と保守作業用表示器の２つの表示器が必要になっていたため、コストが高価となっていた。
【０００６】
この発明は、このような事情に鑑みてなされたものであり、１つの表示器によって顧客に対する情報表示と、保守作業者に対する情報表示を可能とすることにより、従来よりもコストを安価にすることができる自動券売機を提供することを目的としている。
【０００７】
【課題を解決するための手段】
請求項１に記載の発明は、各種チケットを発行・販売する自動券売機において、前記チケットの販売時には投入金額および釣り銭等の情報を出力し、前記自動券売機の保守作業時には、保守内容および保守作業に伴う調整結果等の情報を出力する情報出力制御手段と、前記情報出力制御手段から出力される情報を表示する表示手段と、前記チケットの販売時にはチケット購入者に対して、また、前記保守点検時にはその作業者に対して前記表示手段の表示面の向きが変えられるように、前記表示手段を支持する支持手段とを具備し、前記表示手段は、その表示面が鉛直方向に沿って設けられ、該表示手段の水平方向の一方の端部において、該表示手段の上部および下部に、同一垂直軸線上に形成された２つの突起部を有し、前記支持手段は、前記２つの突起部を回転軸として該２つの突起部を回動自在に支持することを特徴とする。また、回動部に蝶番を用い、同様の機能を持たせてもよい。
【０００８】
請求項２に記載の発明は、請求項１に記載の自動券売機において、前記突起部の回転位置を検出する検出手段を有し、前記情報出力制御手段は、前記検出手段が検出した回転位置に基づいて、前記表示手段の表示面が、前記購入者に対して向けられていることを検知した場合に、投入金額および釣り銭等の情報を出力し、前記作業者に対して向けられていることを検知した場合に、前記保守内容および保守作業に伴う調整結果等の情報を出力することを特徴とする。
【００１０】
請求項３に記載の発明は、請求項２に記載の自動券売機において、前記検出手段が検出した回転位置に基づいて、前記表示手段の表示面が前記作業者に対して向けられていることを検知した場合は、前記チケットの購入者による購入操作を無効とする操作制御手段を具備することを特徴する。
【００１１】
【発明の実施の形態】
以下、図面を参照して、この発明の実施形態について説明する。
図１は、この発明の一実施形態における自動券売機の、表示器を含む一部外観を示す斜視図であり、特に表示器周辺については、上記自動券売機の筐体内部を透視した状態で図示している。
また、この図において、図２の各部に対応する部分については同一の符号を付し、その説明を省略する。
【００１２】
この図において、１はプラズマまたは液晶等の表示器であり、図示せぬ制御部から出力される文字および数字等の情報を表示する。また、表示器１は、その長手方向の一方の端部において、上部および下部に同一垂直軸線上に形成された突起部２，２を有しており、これを自動券売機の筐体内に設けられた支持部材（図示略）が、図中矢印方向に回動自在に支持している。
さらに、上述した支持部材近傍には、図示せぬ周知技術の回転位置検出機構が取り付けられており、通常時および保守作業時の、突起部２，２の各回転位置を検出している。３は自動券売機の正面パネルに設けられた表示窓であり、表示器１の表示面を保護するために透明な板材等がはめ込まれている。
【００１３】
この図に示す自動券売機において、切符の販売時には、表示器１が図中点線で示す位置にあり、表示器１の表示面が表示窓３を通して購入者から見えるようになっている。また、上述した回転位置検出機構により、切符の販売時における突起部２の回転位置が検出される。これにより、前述した制御部は、表示器１が購入者から見える位置にあることを検知し、表示器１に対して、投入した金額，購入した切符の価格，つり銭等の情報、および、この自動券売機において切符の発売が不可能になった時や、釣り銭切れになった時等に、その旨を通知するための情報を出力し、表示器１にそれら情報を表示させる。
【００１４】
また、保守作業時等において、保守作業者が自動券売機の背面パネルを開け、表示器１を、図中、実線で示す位置まで回動させた場合、上述した制御部は、回転位置検出機構によって検出された突起部２の回転位置から、表示器１が保守作業者に対して向けられたことを検知する。これにより、制御部は、表示器１に対して、保守内容および保守作業に伴う調整結果等の情報を出力し、それら情報を表示器１に表示させる。したがって、保守作業者は、表示器１に表示された保守作業時に必要となる情報を自動券売機の背面から見ることができる。
【００１５】
またこの時、制御部は、自動販売機の正面パネルからの操作を無効にする。すなわち、保守作業時において、紙幣投入口１１またはカード投入口１２に、紙幣またはプリペイドカードが挿入されてもそれらを取り込まず、また、硬貨投入口１０のシャッターを閉にしたり、に硬貨が投入されてもそのまま切符・つり銭取出口１４へ放出する。
これにより、保守作業中に誤って自動券売機が作動してしまうことがない。
【００１６】
このように、本実施形態における自動券売機においては、表示器１を回動自在に自動券売機内部に支持し、また、表示器１の位置よって表示する情報を自動的に切り替えるので、切符の販売時および保守作業時において必要となる情報を、１つの表示器により表示することができる。これにより、従来のように顧客用と保守作業者用の表示器を別個に設ける必要がない。
【００１７】
【発明の効果】
以上説明したように、請求項１に記載の発明によれば、１つの表示手段によって購入者および保守作業者に対して、それぞれ切符の販売時および保守作業時において必要となる情報を表示することができるので、従来のように、顧客用と保守作業者用の表示器を別個に設ける必要がなく、よって、自動券売機のコストを下げることができる。
【００１８】
また、請求項２に記載の発明によれば、表示手段の表示面の向きによって、購入者に対して表示すべき情報と、保守作業者に対して表示すべき情報が適宜切り換わるので、それら表示すべき情報の切り換えを、逐一人手によって行う必要がなくなり、操作性が向上する。
【００１９】
さらに、請求項３に記載の発明によれば、保守作業中において、購入者による購入操作が無効とされるので、保守作業中に自動券売機が発券・販売動作を開始して保守作業が妨げられることがなくなる。
【図面の簡単な説明】
【図１】この発明の一実施形態における自動券売機の一部外観を示す斜視図である。
【図２】自動券売機の正面パネルの一例を示す正面図である。
【符号の説明】
１    表示器
２    突起部
３    表示窓
【図１】
0003541578.tif 000002
【図２】
0003541578.tif 000003